(57)【要約】【課題】ブラインド用の昇降コード巻取装置において、巻取ドラムの回転が停止している状態で、巻取ドラムに巻きつかれた昇降コードが移動することを防ぐ。【解決手段】ヘッドボックス１０内で回転自在に支持される巻取ドラム２０の一端側に昇降コード１６の一端が連結され、巻取ドラム２０は、他端側から一端側にかけてその外径が漸次小さくなるテーパ状形状をなした周面を有する。巻取ドラム２０の周面には、該一端側よりも他端側に孔部２０ｄが形成され、巻取ドラム２０の一端側に連結された昇降コード１６の他端は、巻取ドラム２０の内部を挿通して孔部２０ｄより導出されて巻取ドラムの他端側へと誘導される。孔部２０ｄが巻取開始部となり、この孔部２０ｄから巻取ドラム２０の他端側に向かって、昇降コード１６が巻取ドラム２０に巻きつかれる。巻取開始部により昇降コードの巻きが巻取ドラム２０の表面を滑ることを防ぐ。【選択図】　図２
2004124608.tif 000002
【特許請求の範囲】
【請求項１】
ヘッドボックス（１０）内で回転自在に支持され、他端側から一端側にかけてその外径が漸次小さくなるテーパ状形状をなした周面を有する巻取ドラム（２０）に昇降コード（１６）の一端が連結され、ブラインド本体（１２）を昇降するべく巻取ドラム（２０）の回転により昇降コード（１６）を巻取ドラム（２０）の周面に巻取り及び巻解きするようにしたブラインド用の昇降コード巻取装置において、
前記昇降コード（１６）の一端は、巻取ドラム（２０）の一端側に連結され、巻取ドラム（２０）の周面には、昇降コード（１６）の連結部よりも他端側に昇降コードの巻取開始部（２０ｄ、２１）が設けられて、該巻取開始部（２０ｄ、２１）から巻取ドラム（２０）の他端側にかけて昇降コード（１６）が昇降ドラム（２０）に巻きつかれることを特徴とするブラインド用の昇降コード巻取装置。
【請求項２】
前記巻取開始部（２０ｄ）は、その巻取ドラム（２０）の軸方向の位置が可変となっていることを特徴とする請求項１記載のブラインド用の昇降コード巻取装置。
【請求項３】
前記巻取ドラム（２０）の周面には、昇降コード（１６）の連結部よりも他端側に孔部（２０ｄ）が形成され、巻取ドラム（２０）の一端側に連結された昇降コード（１６）の他端は、巻取ドラム（２０）の内部を挿通して孔部（２０ｄ）より導出されて巻取ドラム（２０）の他端側へと誘導され、該孔部（２０ｄ）が巻取開始部となることを特徴とする請求項１記載のブラインド用の昇降コード巻取装置。
【請求項４】
前記孔部（２０ｄ）は巻取ドラム（２０）上に軸方向に離間されて複数個形成されており、その中から選択された１つの孔部を通り、昇降コード（１６）が巻取ドラム（２０）内より導出されることを特徴とする請求項３記載のブラインド用の昇降コード巻取装置。
【発明の詳細な説明】
【０００１】
【発明の属する技術分野】
本発明は、横型ブラインド、プリーツカーテンあるいはたくし上げカーテン等のブラインドにおいて、ブラインド本体を昇降するために用いられる昇降コードの巻取装置に関する。
【０００２】
【従来の技術】
従来のこの種のブラインド用の昇降コード巻取装置としては、ヘッドボックス内で回転自在に支持される巻取ドラムに昇降コードの一端が連結され、ブラインド本体を昇降するべく巻取ドラムの回転により昇降コードを巻取ドラムの周面に巻取り及び巻解きするようにしたものが知られている（例えば、特許文献１。）。
【０００３】
この特許文献１に記載されたものは、巻取ドラムが、その昇降コードの固定箇所よりも他端側に大きな直径からなる滑らかなドラム部分を有しており、該大きな直径のドラム部分が肩部によって固定箇所とは反対側で限定されており、昇降コードを大きな直径部分に形成した肩部に当接して巻きつけていき、大きな直径のドラム部分上に形成された巻きつきが、昇降コード上の荷重と昇降コードの肩部における反作用との作用のもとに形成されつつある巻きつきにより押し返されるように配設された紐を案内する手段を有し、大きな直径のドラム部分の長さが、昇降コード上の張力が大きな直径のドラム部分を離れた巻きつきにおいて零となるような長さになるようにしている。
【０００４】
この従来の昇降コード巻取装置では、巻取ドラムに昇降コードを巻き取っていくと、直径の大きいドラム部分から直径の小さいドラム部分へと押し付けられながら昇降コードが巻き取られていく。そして、巻取ドラムの直径の大きいドラム部分に巻きつかれている昇降コードは、鉛直に近い角度で巻取ドラムに巻きつかれており、巻取ドラムの直径の小さいドラム部分に巻きつかれている昇降コードは、鉛直方向に対して角度をなすようにして巻取ドラムに巻きつかれる。昇降コードの鉛直方向に対してなす角度は、巻取ドラムの固定箇所に近ければそれだけ大きくなっている（図５参照）。
【０００５】
そして、巻取ドラムを回転させて昇降コードを巻き解いていくと、鉛直に近い角度で巻取ドラムに巻きつかれる昇降コードの部分の軸方向に占める長さが短くなり、鉛直に対して角度をなすようにして巻取ドラムに巻きつかれる昇降コードの部分の軸方向に占める長さが長くなる。その逆に、巻取ドラムを逆方向に回転させて、昇降コードを巻き取っていくと、鉛直に近い角度で巻取ドラムに巻きつかれる昇降コードの部分の軸方向に占める長さが長くなり、鉛直に対して角度をなすようにして巻取ドラムに巻きつかれる昇降コードの部分の軸方向に占める長さが短くなる。巻取ドラムの回転を停止させると、昇降コードが巻取ドラムに巻きつかれた状態でブラインド本体の高さが保持される。
【０００６】
【特許文献１】
特開平５−２４８１５６号公報
【０００７】
【発明が解決しようとする課題】
以上の従来のブラインド用の昇降コードの巻取装置においては、巻取ドラムの回転が停止された状態において、昇降コードは巻取ドラムに対して静止していなければならない。しかしながら、巻取ドラムの小さいドラム部分に巻きつかれて、且つ鉛直に対して角度をなすようにして巻きつかれている昇降コードの部位は、張力がほぼ零となっており、巻取ドラムの周面と昇降コードとの間の接触面積等の巻きつき毎に変化する条件によっては、昇降コードの巻きが巻取ドラムの表面を軸方向に滑ってずれることがある（図５の仮想線を参照）。特に、巻取ドラムの外径が、固定箇所に近づくにつれてその外径が漸次小さくなるテーパ状形状をなしている場合、外径の小さい固定箇所の方へと昇降コードの巻きがずれて外径の小さい部分へと移動するために、昇降コードに弛みが発生し、その弛み分だけ昇降コードが巻取ドラムよりも巻解かれるという現象が発生するおそれがあり、これにより、ブラインド本体の高さ位置が変化するという問題がある。通常、昇降コード及び巻取ドラムは、複数個使用されるため、１つの巻取ドラムにおいて、その弛みが発生すると、ブラインド本体の一部が下がる、所謂肩下がりが発生してブラインドとしての見栄えが悪化するという問題がある（図６参照）。かかる現象は、ブラインド本体の重量が大きく昇降コードに作用する張力が大きい場合、または、ブラインド本体を上限まで上昇させて昇降コードにブラインド本体の全重量が作用している場合、等に顕著に現れる。
【０００８】
本発明は、かかる課題に鑑みなされたもので、その目的は、巻取ドラムの回転が停止している状態において、巻取ドラムに巻きつかれた昇降コードが移動することを防ぐことができるブラインド用の昇降コード巻取装置を提供することである。
【０００９】
【課題を解決するための手段】
前述した目的を達成するために、本発明は、ヘッドボックス内で回転自在に支持され、他端側から一端側にかけてその外径が漸次小さくなるテーパ状形状をなした周面を有する巻取ドラムに昇降コードの一端が連結され、ブラインド本体を昇降するべく巻取ドラムの回転により昇降コードを巻取ドラムの周面に巻取り及び巻解きするようにしたブラインド用の昇降コード巻取装置において、
前記昇降コードの一端は、巻取ドラムの一端側に連結され、巻取ドラムの周面には、昇降コードの連結部よりも他端側に昇降コードの巻取開始部が設けられて、該巻取開始部から巻取ドラムの他端側にかけて昇降コードが昇降ドラムに巻きつかれることを特徴とする。
【００１０】
巻取開始部を昇降コードの連結部よりも他端側に設けて、従来よりも他端側にシフトさせることにより、昇降コードが巻取ドラムに巻き取られたときに、従来、巻取ドラムに対して移動し易かった鉛直方向に対し角度をなして巻きつかれた昇降コードの部分の長さを短くすると共に、巻取開始部において、昇降コードの巻きの一端側への移動を規制する。こうして、昇降コードは巻取ドラムに対して自由に移動することができなくなり、ブラインド本体の高さが所望の位置からずれて変化することを防ぐことができる。
【００１１】
また、請求項２記載の発明は、前記巻取開始部が、その巻取ドラムの軸方向の位置が可変となっていることを特徴とする。ブラインド本体の高さ寸法によって昇降コードの長さが異なり、よって巻取ドラムに対して巻き取られる昇降コードの長さも変化するので、その長さに応じて、巻取開始部の位置を変えて調整することにより、異なる寸法のブラインドであっても、同じ巻取ドラムを使用することができる。こうして、巻取ドラムの部品の共通化を図り、部品コストを低減させることができる。
【００１２】
また、請求項３記載の発明は、前記巻取ドラムの周面に、昇降コードの連結部よりも他端側に孔部が形成され、巻取ドラムの一端側に連結された昇降コードの他端は、巻取ドラムの内部を挿通して孔部より導出されて巻取ドラムの他端側へと誘導され、該孔部が巻取開始部となることを特徴とする。巻取ドラムの周面に形成した孔部を利用することにより、別個の部品を使用することなく、安価に巻取開始部を設けることができる。また、択一的には、前記巻取ドラムの周面に、昇降コードの連結部よりも他端側に凸部が形成され、巻取ドラムの一端側に連結された昇降コードの他端は、巻取ドラムの外部を挿通して凸部の周囲を回って巻取ドラムの他端側へと誘導され、該凸部が巻取開始部となるようにすることもできる。この場合、凸部は、巻取ドラムの周面に形成された孔部（孔部は複数の中からに着脱可能に挿入されるピンから構成することができる。
【００１３】
また、請求項４記載の発明は、請求項３記載の前記孔部が巻取ドラム上に軸方向に離間されて複数個形成されており、その中から選択された１つの孔部を通り、昇降コードが巻取ドラム内より導出されることを特徴とする。昇降コードを挿通させる孔部の位置を変えることにより、ブラインド本体の複数の高さ寸法の種類に対応することができるようになる。使用していない孔部は、昇降コードの巻きつきの妨げになることはない。
【００１４】
【発明の実施の形態】
以下、図面を用いて本発明の実施の形態を説明する。
【００１５】
図１は本発明のブラインド用の昇降コード巻取装置が適用されるブラインドの一例を表す全体正面図である。この昇降コード巻取装置は、横型ブラインド、プリーツカーテンあるいはたくし上げカーテン等の任意のブラインドに適用することができるが、図示の例は、横型ブラインドの例である。図において、ブラインドは、窓枠・壁面等の固定部に固定されるヘッドボックス１０と、該ヘッドボックス１０から垂下され、採光または眺望を少なくとも部分的に遮蔽する機能を備えるブラインド本体１２を有している。図示の例では、ブラインド本体１２は、多数のスラットによって構成され、これらのスラットは、ヘッドボックス１０から垂下される複数のラダーコード１５によって整列状態に支持される。
【００１６】
ヘッドボックス１０からは、ブラインド本体１２の幅方向に所定間隔をあけて複数の昇降コード１６が垂下されて、昇降コード１６が各スラットを挿通すると共にその端部がブラインド本体１２の下端部に設けられたボトムレール１２ａに連結されており、この昇降コード１６を昇降させることにより、ブラインド本体１２の昇降が可能となっている。
【００１７】
昇降コード１６の一端は、ヘッドボックス１０内に導入されて、ヘッドボックス１０内で回転自在に支持される巻取ドラム２０に連結される。巻取ドラム２０は、ヘッドボックス１０の一端側に設けられる操作部１８を操作することにより、いずれの方向にも回転を行うことができると共に、その回転を停止させることができる。
【００１８】
図２及び図３に示すように、昇降コード１６が巻取り及び巻解き可能に巻きつけられる巻取ドラム２０のドラム本体２０ａは、その周面が、他端側から一端側にかけて外径が漸次小さくなるテーパ形状となっている。このテーパ形状は、その傾斜角度が全長に渡り一定であってもよいし、または、その傾斜角度が連続的または段階的に変化するものであってもよい。
【００１９】
巻取ドラム２０の両端には、フランジ２０ｂ、２０ｃが設けられており、ドラム本体２０ａの周面には、一端側から複数の孔部２０ｄ、２０ｄ、・・・がその軸方向に沿って互いに離間されて形成されている。昇降コード１６の一端は、巻取ドラム２０の一端側に設けられたフランジ２０ｂに連結される。昇降コード１６の他端側は、孔部２０ｄの１つから巻取ドラム２０の内へと抜けて、巻取ドラム２０内部を通過した後、別の孔部２０ｄから巻取ドラム２０の外部へと導出されて、そこから、巻取ドラム２０の他端に向かってドラム本体２０ａの外周面に巻きつかれている。つまり、昇降コード１６が巻取ドラム２０外部へと導出される孔部２０ｄが巻取開始部となって、そこから巻取コード１６は、他端にあるフランジ２０ｃまでドラム本体２０ａに巻きついており、フランジ２０ｃに達した所で、ドラム本体２０から離れて、ヘッドボックス１０に形成された昇降コード挿通孔１０ａを挿通し、ヘッドボックス１０から導出されて、前述のブラインド本体１２に取り付けられる。こうして、ドラム本体２０ａに巻きつかれた昇降コード１６は、他端にあるフランジ２０ｃ側の部分では、隣接する巻きつきとほぼ並行に（即ちほとんど隙間無く）且つほぼ鉛直方向に巻きつけられており（符号１６ａで示す）、それよりも一端側の巻取開始部までの部分では、隣接する巻きつきと並行せずに且つ鉛直方向に対し角度をなして巻きつけられており（符号１６ｂで示す）、その角度は、孔部２０ｄに向かうに従って徐々に大きくなっている。
【００２０】
以上のように構成される昇降コード巻取装置において、巻取ドラム２０が回転されて巻取ドラム２０から昇降コード１６が巻き解かれていくと、図２に示すように、ドラム本体２０ａにおいて、隣接する巻きつきとほぼ並行に且つほぼ鉛直方向に巻きつかれた昇降コード１６の部分１６ａの軸方向に占める長さが短くなり、隣接する巻きつきと並行せずに且つ鉛直方向に角度をなして巻きつかれた昇降コード１６の部分１６ｂの軸方向に占める長さが長くなっていく。こうして、昇降コード１６が巻き解かれていくことにより、昇降コード１６の他端が下降し、よってブラインド本体１２も下降する。
【００２１】
これに対して、巻取ドラム２０が反対方向に回転されて巻取ドラム２０に昇降コード１６が巻き取られていくと、図３に示すように、昇降コード１６は、フランジ２０ｃからの反作用を受けて、ドラム本体２０ａに既に巻き取られている昇降コード１６を一端側へと押して、隣接する巻きつきとほぼ並行に且つほぼ鉛直方向に巻きつかれた昇降コード１６の部分１６ａが一端側へと伸びていく。よって、ドラム本体２０ａにおいて、隣接する巻きつきとほぼ並行に且つほぼ鉛直方向に巻きつかれた昇降コード１６の部分１６ａの軸方向に占める長さが長くなり、隣接する巻きつきと並行せずに且つ鉛直方向に対し角度をなして巻きつかれた昇降コード１６の部分１６ｂの軸方向に占める長さが短くなっていく。昇降コード１６を限界まで巻き取った状態において、ドラム本体２０ａにおいて隣接する巻きつきと並行せずに且つ鉛直方向に角度をなして巻きつかれた昇降コード１６の部分１６ｂの長さは、巻取開始部となる孔部２０ｄがフランジ２０ｂよりも他端側に位置付けられているために、従来に比較して短くなる（図３及び図５参照）。また、巻取開始部である孔部２０ｄによって昇降コード１６の巻きの移動が阻止されるために、昇降コード１６はドラム本体１０ａの表面を滑ることなく、ブラインド本体１２の高さ位置が変化することを防ぐことができる。図３は、昇降コード１６がほぼ完全に巻き取られて、ブラインド本体１２が上限位置まで上昇した状態を表すが、ブラインド本体１２が途中位置で停止された場合であっても、同様であり、巻取開始部となる孔部２０ｄによって、昇降コード１６の滑りが防止される。ブラインド本体１２が途中高さ位置にある場合、隣接する巻きつきと並行せずに角度をなして巻きつかれた昇降コード１６の部分１６ｂの長さが上限位置にある場合に比較して長くなるが、その分、昇降コード１６に作用するブラインド本体１２からの重量が小さくなるために、結果として、上限位置と同程度に昇降コード１６の移動を阻止することができる。
【００２２】
ブラインド本体１２の高さ寸法が大きい場合には、使用する昇降コード１６の長さが長くなり、ドラム本体２０ａに巻き取られる昇降コード１６の巻き数が多くなる。この場合には、孔部２０ｄの位置を変えて、より一端側のフランジ２０ｃに近い孔部２０ｄから昇降コード１６を導出させる。その際に、孔部２０ｄであるために、使用しない孔部２０ｄが昇降コード１６の巻きつきの妨害になることはない。これにより、ブラインド本体１２の高さ寸法が異なるブラインドであっても、同じ巻取ドラムを使用することができ、巻取ドラムの部品の共通化を図り、部品コストを低減させることができる。
【００２３】
図４は、他の実施形態を表す図である。この実施形態では、ドラム本体２０ａの周面に形成された第１実施形態と同じ孔部２０ｄに調整ピン２１を挿入しており、フランジ２０ｂに連結された昇降コード１６の他端側は、ドラム本体２０ａを軸方向に沿って配索されて、調整ピン２１の周囲を通り、ドラム本体２０ａの外周面への巻きつきが開始しており、この調整ピン２１の位置が巻取開始部となる。
【００２４】
ブラインド本体１２の高さ寸法に対してこの調整ピン２１による巻取開始部の位置が適当でない場合には、調整ピン２１を抜いて他の軸方向位置にある孔部２０ｄに挿入して、調整ピン２１のある巻取開始部からフランジ２０ｃまでの長さが、昇降コード１６を完全に巻き取ったときに、昇降コード１６の全巻きを収容できる長さになるように調整する。
【００２５】
このようなピン２１によっても、第１の実施形態と同様の作用・効果が得られる。このように、本発明は特許請求の範囲に記載された発明の範囲にて様々な変形例が可能であることは当業者によって理解されよう。
【００２６】
【発明の効果】
以上説明したように本発明によれば、巻取開始部を昇降コードの連結部よりも他端側に設けて、従来よりも他端側にシフトさせることにより、昇降コードが巻取ドラムに巻き取られたときに、鉛直方向に対し角度をなして巻きつかれた昇降コードの部分の長さを短くすると共に、巻取開始部において、昇降コードの巻きの一端側への移動を規制することができるので、昇降コードが巻取ドラムに対して移動することを防ぎ、ブラインド本体の高さが所望の位置からずれて変化することを防ぐことができる。
【図面の簡単な説明】
【図１】本発明のブラインド用の昇降コード巻取装置が適用されるブラインドの一例を表す全体正面図である。
【図２】本発明の実施形態にかかる昇降コード巻取装置を表す正面図であり、ブラインド本体下降時を表す。
【図３】本発明の実施形態にかかる昇降コード巻取装置を表す正面図であり、ブラインド本体上昇時を表す。
【図４】本発明の他の実施形態にかかる昇降コード巻取装置を表す正面図であり、ブラインド本体下降時を表す。
【図５】従来の昇降コード巻取装置の図３に対する比較を表す図３相当図である。
【図６】従来の昇降コード巻取装置を備えたブラインドの肩下がり状態を表す正面図である。
【符号の説明】
１０　ヘッドボックス
１２　ブラインド本体
１６　昇降コード
２０　巻取ドラム
２０ｄ　孔部（巻取開始部）
２１　調整ピン（巻取開始部）
【図１】
2004124608.tif 000003
【図２】
2004124608.tif 000004
【図３】
2004124608.tif 000005
【図４】
2004124608.tif 000006
【図５】
2004124608.tif 000007
【図６】
2004124608.tif 000008